Podtech/llm-jp-corpus-v4-ja_patent huggingface dataset:
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
異なる２つの周波数で共振するデュアルバンド共振器であって、
接地導体を有する誘電体上又は誘電体内部に形成された第１導体部と第２導体部とを備え、
前記第１導体部は、中央部における第１折返部でＵ字状に折り返され、所定間隔で隣接して所定方向に延在し、
前記第１導体部における前記第１折返部よりも一端側の一端側導体部分と、前記第１導体部における前記第１折返部よりも他端側の他端側導体部分とは、更に、一端及び他端と前記第１折返部との間の第２折返部で、前記一端及び前記他端が互いに離れる方向に折り返された構造をなし、
前記第２導体部は、一端が前記第１導体部の前記第１折返部に接続され、前記第１導体部に連続して前記所定方向に延在し、
前記第１導体部の両端は開放されて、前記第１導体部は半波長共振器を構成し、前記第１導体部には、前記２つの周波数のうちの一方の周波数で共振する奇モード共振が生じ、
前記第２導体部の他端は開放されて、前記第１導体部及び前記第２導体部は半波長共振器を構成し、前記第１導体部及び前記第２導体部には、前記２つの周波数のうちの他方の周波数で共振する偶モード共振が生じる、
デュアルバンド共振器。
【請求項２】
前記一端側導体部分と前記他端側導体部分とは、更に、前記一端、前記他端及び前記第１折返部と前記第２折返部との間の第３折返部で、前記第２折返部が互いに離れる方向に折り返された構造をなす、請求項１に記載のデュアルバンド共振器。
【請求項３】
前記一端側導体部分において、前記所定方向に交差する交差方向に、前記第１折返部と、前記一端と、前記第２折返部とが順に配列され、
前記他端側導体部分において、前記交差方向に、前記第１折返部と、前記他端と、前記第２折返部とが順に配列される、
請求項２に記載のデュアルバンド共振器。
【請求項４】
前記一端側導体部分において、前記交差方向に、前記第１折返部と、前記一端と、前記第２折返部とが直線状に配列され、
前記他端側導体部分において、前記交差方向に、前記第１折返部と、前記他端と、前記第２折返部とが直線状に配列される、
請求項３に記載のデュアルバンド共振器。
【請求項５】
前記第１導体部を前記第２導体部よりも細くし、第２導体部をステップインピーダンス構造とする、請求項１〜４の何れか１項に記載のデュアルバンド共振器。
【請求項６】
前記第２導体部の前記他端側の端部に、凹部又は凸部が形成される、請求項１〜５の何れか１項に記載のデュアルバンド共振器。
【請求項７】
請求項１〜６の何れか１項に記載のデュアルバンド共振器を１又は複数備える、
デュアルバンド帯域通過フィルタ。
【請求項８】
奇モード共振の結合係数を満たすように配列された複数のデュアルバンド共振器と、
偶モード共振の結合係数を満たすように、前記複数のデュアルバンド共振器における第２導体部の間に設けられた１又は複数の導波路と、
を備える、請求項７に記載のデュアルバンド帯域通過フィルタ。
【請求項９】
前記複数のデュアルバンド共振器を挟み込むように設けられ、前記デュアルバンド共振器における第１導体部と第２導体部とに個別に結合された一対の給電線を更に備える、請求項８に記載のデュアルバンド帯域通過フィルタ。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
撮像装置によって撮像される撮像画像の画質を規定する画質条件を含む複数の条件が規定された規定条件が指定された場合に、前記規定条件に対応する画像とは異なる画像であって、前記撮像装置によって生成される他の画像に係る所定の処理が行われているか判定する判定手段と、
前記規定条件が指定された場合に、前記判定手段による判定結果に応じて、前記規定条件によって規定される少なくとも一部の条件を満たさず、その他の条件を満たす画像を生成するように前記撮像装置を制御する制御手段と
を有することを特徴とする制御装置。
【請求項２】
前記制御手段は、前記他の画像に係る前記所定の処理が行われている場合に、前記規定条件によって規定される少なくとも一部の条件を満たさず、その他の条件を満たす画像を生成するように前記撮像装置を制御することを特徴とする請求項１に記載の制御装置。
【請求項３】
前記制御手段は、前記他の画像に係る前記所定の処理が行われている場合に、前記画質条件を満たさず、その他の条件を満たす画像を生成するように前記撮像装置を制御することを特徴とする請求項２に記載の制御装置。
【請求項４】
前記複数の条件は、前記撮像装置によって撮像される撮像画像における部分的な領域の画像である部分画像の位置を規定する位置条件を含むことを特徴とする請求項１乃至３のいずれか１項に記載の制御装置。
【請求項５】
前記制御手段は、前記他の画像に係る前記所定の処理が行われている場合に、前記画質条件を満たさず、前記位置条件で規定される条件を満たす部分画像を生成するように前記撮像装置を制御することを特徴とする請求項４に記載の制御装置。
【請求項６】
前記判定手段は、前記他の画像を記録手段に記録中であるか判定することを特徴とする請求項１乃至５のいずれか１項に記載の制御装置。
【請求項７】
前記判定手段は、前記他の画像を対象とした画像解析機能が実行中であるか判定することを特徴とする請求項１乃至５のいずれか１項に記載の制御装置。
【請求項８】
前記制御手段は、前記画質条件を満たす画像を生成するように前記撮像装置の状態を変更した場合、前記画像の生成が終了した場合は、前記撮像装置の状態を変更する前の状態に戻すことを特徴とする請求項１乃至５のいずれか１項に記載の制御装置。
【請求項９】
前記制御手段は、前記画質条件を満たす画像を生成するように前記撮像装置を制御する場合、前記他の画像を対象とした画像解析機能を停止させることを特徴とする請求項１に記載の制御装置。
【請求項１０】
前記判定手段は、前記他の画像が前記規定条件を指定したユーザよりも権限の強いユーザによる操作によって出力中又は記録中の画像であるか判定することを特徴とする請求項１乃至９のいずれか１項に記載の制御装置。
【請求項１１】
前記判定手段は、前記規定条件によって規定される全ての条件を満たす画像を生成させると前記他の画像に影響するか判定することを特徴とする請求項１乃至１０のいずれか１項に記載の制御装置。
【請求項１２】
前記他の画像は、生成される前記画像と同じ撮像画像から切出された部分画像であることを特徴とする請求項１乃至１１のいずれか１項に記載の制御装置。
【請求項１３】
前記他の画像は、生成される前記画像が含まれる前記撮像画像であることを特徴とする請求項１乃至１１のいずれか１項に記載の制御装置。
【請求項１４】
前記一部の条件は、前記他の条件に影響する条件であることを特徴とする請求項１乃至１３のいずれか１項に記載の制御装置。
【請求項１５】
前記一部の条件は、前記画質条件であることを特徴とする請求項１乃至１４のいずれか１項に記載の制御装置。
【請求項１６】
生成される前記画像のデータを受信する受信手段を有することを特徴とする請求項１乃至１５のいずれか１項に記載の制御装置。
【請求項１７】
撮像手段を有する撮像装置を制御する制御方法であって、
前記撮像装置によって撮像される撮像画像の画質を規定する画質条件を含む複数の条件が規定された規定条件が指定された場合に、前記規定条件に対応する画像とは異なる画像であって、前記撮像装置によって生成される他の画像に係る所定の処理が行われているか判定する判定工程と、
前記規定条件が指定された場合に、前記判定工程における判定結果に応じて、前記規定条件によって規定される少なくとも一部の条件を満たさず、その他の条件を満たす画像を生成するように前記撮像装置を制御する制御工程と
を有することを特徴とする制御方法。
【請求項１８】
コンピュータを、請求項１乃至１６のいずれか１項に記載の制御装置の各手段として機能させるためのプログラム。
【手続補正２】
【補正対象書類名】明細書
【補正対象項目名】０００８
【補正方法】変更
【補正の内容】
【０００８】
上記課題を解決するために、本発明の制御装置は以下の構成を備える。すなわち、撮像装置によって撮像される撮像画像の画質を規定する画質条件を含む複数の条件が規定された規定条件が指定された場合に、前記規定条件に対応する画像とは異なる画像であって、前記撮像装置によって生成される他の画像に係る所定の処理が行われているか判定する判定手段と、前記規定条件が指定された場合に、前記判定手段による判定結果に応じて、前記規定条件によって規定される少なくとも一部の条件を満たさず、その他の条件を満たす画像を生成するように前記撮像装置を制御する制御手段とを有する。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
画像データを取得する取得手段と、
付帯データとして、時刻に関する情報を生成する生成手段と、
前記取得した画像データのうち、複数の画素位置のデータと前記生成された付帯データとを置換する置換手段と、
を有することを特徴とする情報処理装置。
【請求項２】
前記取得した画像データに基づいて輝度信号と色差信号とを生成する色変換手段を更に有し、
前記置換手段は、前記複数の画素位置における前記色差信号のデータと前記付帯データとを置換することを特徴とする請求項１に記載の情報処理装置。
【請求項３】
前記置換手段は、前記取得した画像データのうち、連続する複数の画素位置のデータを前記付帯データと置換することを特徴とする請求項１に記載の情報処理装置。
【請求項４】
前記生成手段は、前記取得手段が前記画像データを取得したタイミングに係る時刻に関する情報を生成することを特徴とする請求項３に記載の情報処理装置。
【請求項５】
前記付帯データは所定数のビットのデータであり、
前記置換手段は、前記所定数の画素位置のデータと前記付帯データとを置換することを特徴とする請求項１から４のいずれか１項に記載の情報処理装置。
【請求項６】
前記置換手段は、前記取得した画像データのうち、前記所定数の画素位置のデータのうち最下位１ビットのデータと前記付帯データのうちの１ビットのデータとを置換することを特徴とする請求項５に記載の情報処理装置。
【請求項７】
前記画像データに対して画像処理を実行する画像処理手段を更に有し、
前記画像処理手段は、前記画像処理の実行に伴う遅延に応じて、前記付帯データに示される時刻の情報を遅延させる遅延処理を実行し、
前記置換手段は、前記取得した画像データの複数の画素位置のデータと前記画像処理手段により遅延処理された前記付帯データとを置換することを特徴とする請求項１から６のいずれか１項に記載の情報処理装置。
【請求項８】
前記画像データは、撮像手段により撮像された映像データの各フレームの画像データであることを特徴とする請求項１から７のいずれか１項に記載の情報処理装置。
【請求項９】
前記映像データを撮像するための撮像手段を更に有することを特徴とする請求項８に記載の情報処理装置。
【請求項１０】
ユーザの頭部に装着されて使用されることを特徴とする請求項１から９のいずれか１項に記載の情報処理装置。
【請求項１１】
前記画像データは、それぞれ異なる撮像手段で撮像された第１の画像データと第２の画像データとを含み、
前記付帯データは、前記第１の画像データと前記第２の画像データの同期をとるための情報であることを特徴とする請求項１から１０のいずれか１項に記載の情報処理装置。
【請求項１２】
画像データを取得する取得手段と、
付帯データとして、時刻に関する情報を生成する生成手段と、
前記取得した画像データに基づいて輝度信号と色差信号とを生成する色変換手段と、
前記取得した画像データのうち、所定の画素位置における前記色差信号のデータと前記生成された付帯データとを置換する置換手段と、
を有することを特徴とする情報処理装置。
【請求項１３】
請求項１から１２のいずれか記載の情報処理装置と、
前記情報処理装置により前記付帯データが付帯された画像データから前記付帯データを復元する復元手段を有する画像処理装置と、
を有することを特徴とする情報処理システム。
【請求項１４】
前記画像処理装置は、前記画像データに対してＣＧを重畳することにより合成画像データを生成する合成手段を更に有することを特徴とする請求項１３に記載の情報処理システム。
【請求項１５】
ユーザの頭部に装着される情報処理装置と、前記情報処理装置と接続される画像処理装置とを有することを特徴とする情報処理システムであって、
前記情報処理装置は、
画像データを取得する取得手段と、
付帯データとして、時刻に関する情報を生成する生成手段と、
前記取得した画像データのうち、複数の画素位置のデータと前記生成された付帯データとを置換する置換手段と、
を有し、
前記画像処理装置は、
前記情報処理装置により前記付帯データが付帯された画像データから前記付帯データを復元する復元手段を有することを特徴とする情報処理システム。
【請求項１６】
画像データを取得するステップと、
付帯データとして、時刻に関する情報を生成する生成ステップと、
前記取得した画像データのうち、複数の画素位置のデータと前記生成された付帯  データとを置換するステップと、
を有することを特徴とする情報処理方法。
【請求項１７】
画像データを取得するステップと、
付帯データとして、時刻に関する情報を生成する生成ステップと、
前記取得した画像データに基づいて輝度信号と色差信号とを生成するステップと、
前記取得した画像データのうち、所定の画素位置における前記色差信号のデータと前記生成された付帯データとを置換するステップと、
を有することを特徴とする情報処理方法。
【請求項１８】
コンピュータを、請求項１から１２のいずれか１項に記載の情報処理装置として機能させるためのプログラム。
【手続補正２】
【補正対象書類名】明細書
【補正対象項目名】０００６
【補正方法】変更
【補正の内容】
【０００６】
上記課題を解決するために、本発明は、画像データを取得する取得手段と、付帯データとして、時刻に関する情報を生成する生成手段と、前記取得した画像データのうち、複数の画素位置のデータと前記生成された付帯データとを置換する置換手段と、を有することを特徴とする。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
発振子を発振させる第１の発振回路と、
第２の発振回路と、
前記第１の発振回路の出力信号に基づくクロック信号を出力するクロック信号出力回路と、
前記クロック信号出力回路の出力制御を行う出力制御回路と、
を含み、
前記出力制御回路は、
前記第２の発振回路の出力信号に基づいてカウント処理を行うカウンター部を有し、
前記カウンター部は、
前記カウント処理の結果に基づいて、前記クロック信号出力回路に対して前記クロック信号の出力イネーブル信号を出力することを特徴とする回路装置。
【請求項２】
請求項１に記載の回路装置において、
前記出力制御回路は、
前記カウンター部のカウントイネーブル信号を生成するカウントイネーブル信号生成回路を有し、
前記カウンター部は、
前記カウントイネーブル信号がアクティブになったときに前記カウント処理を開始することを特徴とする回路装置。
【請求項３】
請求項２に記載の回路装置において、
前記第２の発振回路は、
前記カウントイネーブル信号がアクティブになったときに発振動作を開始し、その後、前記出力イネーブル信号がアクティブになったときに前記発振動作を停止することを特徴とする回路装置。
【請求項４】
請求項２又は３に記載の回路装置において、
前記カウントイネーブル信号生成回路は、
前記第１の発振回路の前記出力信号に基づいて前記カウントイネーブル信号を生成することを特徴とする回路装置。
【請求項５】
請求項２乃至４のいずれか一項に記載の回路装置において、
前記カウンター部は、
前記カウント処理におけるカウント値が所与の設定値に達したときに、前記出力イネーブル信号をアクティブにすることを特徴とする回路装置。
【請求項６】
請求項１乃至５のいずれか一項に記載の回路装置において、
前記第２の発振回路は、ＣＲ発振回路であることを特徴とする回路装置。
【請求項７】
請求項１乃至６のいずれか一項に記載の回路装置において、
前記第２の発振回路の発振周波数は、前記第１の発振回路の発振周波数より低いことを特徴とする回路装置。
【請求項８】
請求項１乃至７のいずれか一項に記載の回路装置において、
デューティー補正モードに設定されたときは、前記出力制御回路は、前記カウント処理の結果に基づく前記出力イネーブル信号を前記クロック信号出力回路に出力し、
デューティー補正モードに設定されていないときは、前記出力制御回路は、前記出力イネーブル信号をアクティブレベルに固定することを特徴とする回路装置。
【請求項９】
請求項１乃至８のいずれか一項に記載の回路装置において、
電源電圧が印加されてから前記第１の発振回路の発振周波数が許容周波数偏差内になるまでの期間をＴ１とし、前記電源電圧が印加されてから前記出力イネーブル信号がアクティブになるまでの期間をＴ２としたときに、Ｔ２＜Ｔ１であることを特徴とする回路装置。
【請求項１０】
請求項１乃至９のいずれか一項に記載の回路装置において、
前記カウンター部は、
前記第２の発振回路の前記出力信号に基づいてカウント動作を行うカウンターと、
リセット信号がアクティブであるときに、前記出力イネーブル信号を非アクティブにし、前記リセット信号が非アクティブになった後に前記カウンターの出力信号がアクティブになったときに、前記出力イネーブル信号をアクティブにする出力回路と、
を有することを特徴とする回路装置。
【請求項１１】
請求項１乃至１０のいずれか一項に記載の回路装置と、
前記発振子と、
を含むことを特徴とする発振器。
【請求項１２】
請求項１乃至１０のいずれか一項に記載の回路装置を含むことを特徴とする電子機器。
【請求項１３】
請求項１乃至１０のいずれか一項に記載の回路装置を含むことを特徴とする移動体。
【手続補正２】
【補正対象書類名】明細書
【補正対象項目名】０１３９
【補正方法】変更
【補正の内容】
【０１３９】
温度補償部１５０は、温度センサー４０からの温度検出信号ＶＴ（温度検出電圧）に基づいて、第１の発振回路１０の発振周波数の温度補償を実現するための温度補償用電圧ＶＣＯＭＰを発生して、その温度補償用電圧ＶＣＯＭＰを第１の発振回路１０に出力する。例えば発振子ＸＴＡＬが有する発振周波数の温度特性をテスト装置で測定し、その温度特性をキャンセルする（温度特性による発振周波数の変動を抑制する）３次又は５次の多項式（近似式）を求める。そして、その多項式の係数を記憶部１４０に書き込んでおく。温度補償部１５０が温度補償を行う際には、制御回路１３０が多項式の係数を記憶部１４０から読み出して温度補償部１５０に出力し、その係数に基づいて温度補償部１５０が、発振周波数の温度特性をキャンセルする（温度特性による発振周波数の変動を抑制する）温度補償用電圧ＶＣＯＭＰを発生させる。例えば、３次の多項式を例にとると、温度補償部１５０は、１次の成分を発生させる１次成分発生回路と、３次の成分を発生させる３次成分発生回路と、１次成分発生回路の出力を増幅する１次成分増幅回路と、３次成分発生回路の出力を増幅する３次成分増幅回路と、１次、３次成分増幅回路の出力を加算して温度補償用電圧ＶＣＯＭＰを出力する加算回路と、を含む。
【手続補正３】
【補正対象書類名】明細書
【補正対象項目名】０１４３
【補正方法】変更
【補正の内容】
【０１４３】
処理部１６０は、種々のデジタル信号処理を行って周波数制御データＤＤＳを生成し、その周波数制御データＤＤＳを発振信号生成回路１７０に出力する。例えば処理部１６０は、温度補償部１６２を含む。温度補償部１６２は、温度検出データＤＶＴに基づいて温度補償処理を行い、発振子ＸＴＡＬが有する発振周波数の温度特性をキャンセルする（温度特性による発振周波数の変動を抑制する）周波数制御データＤＤＳを生成する。温度補償処理では、発振周波数の温度特性をキャンセルする（温度特性による発振周波数の変動を抑制する）３次又は５次の多項式に基づいて周波数制御データＤＤＳを演算している。この多項式の係数は、図１７と同様にして製造時等に記憶部１４０に書き込まれる。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
スキャンデータに係る提出物情報を管理する管理装置と、画像形成装置とを含む情報処理システムであって、
スキャンデータに係る提出物情報を前記管理装置に登録する登録指示を前記画像形成装置にて受け付ける受付手段と、
前記受け付けた登録指示に基づき前記管理装置に提出物情報を登録することに応じて、前記画像形成装置にて取り込むスキャンデータを前記登録する提出物情報に紐づける画面を前記画像形成装置に表示させる表示制御手段と
を備えることを特徴とする情報処理システム。
【請求項２】
前記表示制御手段は、前記提出物情報に紐づくスキャンデータを前記画像形成装置に取り込ませる指示を受け付ける受付部を含む画面を表示させることを特徴とする請求項１に記載の情報処理システム。
【請求項３】
前記受付手段は、前記管理装置にて管理される授業情報に紐づけて前記提出物情報を登録する登録指示を受け付けることを特徴とする請求項１に記載の情報処理システム。
【請求項４】
前記取り込むスキャンデータは、前記登録する提出物情報に対応するユーザごとに管理されることを特徴とする請求項１〜３のいずれか１項に記載の情報処理システム。
【請求項５】
スキャンデータに係る提出物情報を管理する管理装置と、画像形成装置と通信可能に接続された情報処理装置であって、
スキャンデータに係る提出物情報を前記管理装置に登録する登録指示を前記画像形成装置に受け付けさせる受付制御手段と、
前記受け付けた登録指示に基づき前記管理装置に提出物情報を登録することに応じて、前記画像形成装置にて取り込むスキャンデータを前記登録する提出物情報に紐づける画面を前記画像形成装置に表示させる表示制御手段と
を備えることを特徴とする情報処理装置。
【請求項６】
スキャンデータに係る提出物情報を管理する管理装置と、画像形成装置とを含む情報処理システムの制御方法であって、
受付手段が、スキャンデータに係る提出物情報を前記管理装置に登録する登録指示を前記画像形成装置にて受け付ける受付ステップと、
表示制御手段が、前記受け付けた登録指示に基づき前記管理装置に提出物情報を登録することに応じて、前記画像形成装置にて取り込むスキャンデータを前記登録する提出物情報に紐づける画面を前記画像形成装置に表示させる表示制御ステップと
を備えることを特徴とする情報処理システムの制御方法。
【請求項７】
スキャンデータに係る提出物情報を管理する管理装置と、画像形成装置とを含む情報処理システムにおいて実行可能なプログラムであって、
前記情報処理システムを、
スキャンデータに係る提出物情報を前記管理装置に登録する登録指示を前記画像形成装置にて受け付ける受付手段と、
前記受け付けた登録指示に基づき前記管理装置に提出物情報を登録することに応じて、前記画像形成装置にて取り込むスキャンデータを前記登録する提出物情報に紐づける画面を前記画像形成装置に表示させる表示制御手段
として機能させるためのプログラム。
【手続補正２】
【補正対象書類名】明細書
【補正対象項目名】発明の名称
【補正方法】変更
【補正の内容】
【発明の名称】情報処理システム、情報処理装置、制御方法、プログラム
【手続補正３】
【補正対象書類名】明細書
【補正対象項目名】０００７
【補正方法】変更
【補正の内容】
【０００７】
そこで、本発明では、提出物情報を登録することに応じて、取り込むスキャンデータを適切に管理できる仕組みを提供することを目的とする。
【手続補正４】
【補正対象書類名】明細書
【補正対象項目名】０００８
【補正方法】変更
【補正の内容】
【０００８】
本発明は、スキャンデータに係る提出物情報を管理する管理装置と、画像形成装置とを含む情報処理システムであって、スキャンデータに係る提出物情報を前記管理装置に登録する登録指示を前記画像形成装置にて受け付ける受付手段と、前記受け付けた登録指示に基づき前記管理装置に提出物情報を登録することに応じて、前記画像形成装置にて取り込むスキャンデータを前記登録する提出物情報に紐づける画面を前記画像形成装置に表示させる表示制御手段とを備えることを特徴とする。
【手続補正５】
【補正対象書類名】明細書
【補正対象項目名】０００９
【補正方法】変更
【補正の内容】
【０００９】
本発明によると、提出物情報を登録することに応じて、取り込むスキャンデータを適切に管理できるようになる。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
遊技媒体が用いられる遊技機であって、
遊技媒体が通過可能な通過可能領域が設けられた構造体と、
前記通過可能領域の前方において発光可能に設けられた導光部と、
前記導光部を制御可能な制御手段と、を備え、
前記制御手段は、所定期間において前記導光部が発光しないように制御し、
前記所定期間は、遊技者にとって有利な状態とは異なる所定状態に制御される期間のうちの少なくとも一部に対応する期間である、遊技機。
【手続補正２】
【補正対象書類名】明細書
【補正対象項目名】０００６
【補正方法】変更
【補正の内容】
【０００６】
（Ａ）  遊技媒体（遊技球等）が用いられる遊技機（パチンコ遊技機１等）であって、
遊技媒体が通過可能な通過可能領域（図５７および図５８の第２大入賞口７０２、第１誘導経路２０１、第２誘導経路２０２Ａ、第３誘導経路２０３Ａ等）が設けられた構造体（図５７および図５８の第２特別可変入賞球装置７Ｂ等）と、
前記通過可能領域の前方において発光可能に設けられた導光部（図５７および図５８の導光部３０等）と、
前記導光部を制御可能な制御手段（演出制御用ＣＰＵ１２０等）と、を備え、
前記制御手段は、所定期間（図５９の小当り遊技状態開始時から終了時までの期間等）において前記導光部が発光しないように制御し（導光部３０を非発光状態にする制御を行なう）、
前記所定期間は、遊技者にとって有利な状態とは異なる所定状態に制御される期間のうちの少なくとも一部に対応する期間である（図５９の小当り遊技状態開始時から終了時までの期間等）。
このような構成によれば、導光部を設ける場合に、遊技者にとって有利な状態とは異なる所定状態に制御される期間のうちの少なくとも一部に対応する期間において、適切な発光制御をすることができる。
（１）  遊技媒体（遊技球等）が用いられる遊技機（パチンコ遊技機１等）であって、
遊技媒体が通過可能な通過可能領域（図５７および図５８の第２大入賞口７０２、第１誘導経路２０１、第２誘導経路２０２Ａ、第３誘導経路２０３Ａ等）が設けられた構造体（図５７および図５８の第２特別可変入賞球装置７Ｂ等）と、
前記通過可能領域の前方において発光可能に設けられた導光部（図５７および図５８の導光部３０等）と、
前記導光部を制御可能な制御手段（演出制御用ＣＰＵ１２０等）とを備え、
前記制御手段は、所定期間（図５９の小当り遊技状態開始時から終了時までの期間等）において前記導光部が発光しないように制御する（導光部３０を非発光状態にする制御を行なう）。
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
複数の対象物の中から、ユーザが注目している対象物を特定する対象物特定システムであって、
各対象物に設置され、固有の識別信号を発信する発信機と、
ユーザの携帯端末との間で通信を行う管理サーバと
を含み、
当該対象物特定システムは、ユーザの携帯端末であって、前記複数の対象物を画面上に表示するものと共に実施され、
前記携帯端末および前記管理サーバのうちの少なくとも一方は、対象物と発信機との対応関係であってメモリに保存されているものを参照することにより、前記複数の対象物のうちユーザによって前記携帯端末の画面上で選択された対象物と、前記携帯端末が受信した前記識別信号によって表される発信機とが互いに対応する場合に、その対象物をユーザによって選択された対象物として特定する対象物特定部を含む対象物特定システム。
【請求項２】
前記携帯端末は、自身の現在位置を取得し、前記複数の対象物のうちそれら対象物より少数の対象物であって前記取得された現在位置の近傍に位置するものを画面上にいずれかの対象物がユーザによって選択可能な状態で表示し、
前記対象物特定部は、前記選択された対象物と、前記携帯端末が受信した前記識別信号によって表される発信機とが互いに対応する場合に、その対象物をユーザによって選択された対象物として特定する請求項１に記載の対象物特定システム。
【請求項３】
前記複数の対象物は、不動産または動産である複数の対象を含む請求項１または２に記載の対象物特定システム。
【請求項４】
前記複数の対象物は、複数の駐車場を含む請求項１または２に記載の対象物特定システム。
【請求項５】
請求項１ないし４のいずれかに記載の携帯端末として機能させるためのプログラム。
【請求項６】
請求項１ないし４のいずれかに記載の管理サーバとして機能させるためのプログラム。
【請求項７】
請求項５または６に記載のプログラムをコンピュータ読み取り可能に記録した記録媒体。
【手続補正２】
【補正対象書類名】明細書
【補正対象項目名】発明の名称
【補正方法】変更
【補正の内容】
【発明の名称】対象物特定システム、プログラムおよび記録媒体
【手続補正３】
【補正対象書類名】明細書
【補正対象項目名】００１４
【補正方法】変更
【補正の内容】
【００１４】
その課題を解決するために、本発明のあるアスペクトによれば、複数の対象物の中から、ユーザが注目している対象物を特定する対象物特定システムであって、
各対象物に設置され、固有の識別信号を発信する発信機と、
ユーザの携帯端末との間で通信を行う管理サーバと
を含み、
当該対象物特定システムは、ユーザの携帯端末であって、前記複数の対象物を画面上に表示するものと共に実施され、
前記携帯端末および前記管理サーバのうちの少なくとも一方は、対象物と発信機との対応関係であってメモリに保存されているものを参照することにより、前記複数の対象物のうちユーザによって前記携帯端末の画面上で選択された対象物と、前記携帯端末が受信した前記識別信号によって表される発信機とが互いに対応する場合に、その対象物をユーザによって選択された対象物として特定する対象物特定部を含む対象物特定システムが提供される。
また、本発明の第１側面によれば、対象物特定システムであって、
それぞれの設置位置が既知である複数の対象物にそれぞれ設置された複数の発信機であって、それぞれ、固有の発信機ＩＤを表す識別信号を発信し、その識別信号は、近距離通信方式により、ユーザの携帯端末によって受信されるものと、
前記複数の対象物のうちユーザによって実際に選択されて訪問されたものに実際に設置されている実発信機から前記携帯端末が受信した識別信号によって表される実発信機ＩＤと、前記複数の対象物のうち、ユーザによって実際に選択される可能性が他の対象物より高い対象物がいずれであるかを表す情報とに基づき、ユーザによって実際に選択された対象物を特定する対象物特定部と
を含む対象物特定システムが提供される。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
サーバから背景画像の画像データをエンコードして得られたビデオストリームを含むサーバ配信ストリームを受信し、他のクライアント装置から該他のクライアントの代用画像を表示するための代用画像メタ情報を含むクライアント送信ストリームを受信する受信部と、
上記ビデオストリームをデコードして背景画像の画像データを得るデコード処理と、上記代用画像メタ情報に基づいて代用画像の画像データを生成する代用画像データ生成処理と、上記背景画像の画像データに上記代用画像の画像データを合成する画像データ合成処理を制御する制御部を備える
クライアント装置。
【請求項２】
上記ビデオストリームのレイヤおよび/または上記サーバ配信ストリームのレイヤに上記背景画像における上記代用画像の許容合成範囲を示す情報が挿入されており、
上記制御部は、上記許容合成範囲を示す情報に基づき、上記代用画像が上記背景画像の上記許容合成範囲内に配置されるように上記合成処理を制御する
請求項１に記載のクライアント装置。
【請求項３】
上記代用画像メタ情報には、上記代用画像の上記許容合成範囲内における合成位置を示す合成位置情報が含まれており、
上記制御部は、上記合成位置情報が示す合成位置に上記代用画像が合成されるように上記合成処理を制御する
請求項２に記載のクライアント装置。
【請求項４】
上記代用画像メタ情報には、上記代用画像のサイズを示すサイズ情報が含まれており、
上記制御部は、上記サイズ情報が示すサイズで上記背景画像に上記代用画像が合成されるように上記合成処理を制御する
請求項２または３に記載のクライアント装置。
【請求項５】
上記クライアント送信ストリームには、上記代用画像メタ情報に対応した音声データがオブジェクトメタデータと共に含まれており、
上記制御部は、上記音声データに上記オブジェクトメタデータに応じたレンダリング処理を行って上記代用画像の合成位置を音像位置とする音声出力データを得る音声出力処理をさらに制御する
請求項３に記載のクライアント装置。
【請求項６】
上記クライアント送信ストリームには、上記代用画像メタ情報に対応した字幕データが表示位置情報と共に含まれており、
上記制御部は、上記字幕データによる字幕が上記代用画像の合成位置に対応した位置に表示されるように上記表示位置情報に基づいて字幕の表示データを上記背景画像の画像データに合成する字幕合成処理をさらに制御する
請求項３または５に記載のクライアント装置。
【請求項７】
自身の代用画像を表示するための代用画像メタ情報を含むクライアント送信ストリームを他のクライアント装置に送信する送信部をさらに備え、
上記代用画像データ生成処理では、上記自身の代用画像を表示するための代用画像メタ情報に基づいて自身の代用画像の画像データをさらに生成する
請求項１から６のいずれかに記載のクライアント装置。
【請求項８】
上記背景画像の画像データは、広視野角画像の画像データであり、
上記制御部は、上記背景画像の画像データの一部を切り出して表示用画像データを得る画像切出し処理をさらに制御する
請求項１から７のいずれかに記載のクライアント装置。
【請求項９】
受信部が、サーバから背景画像の画像データをエンコードして得られたビデオストリームを含むサーバ配信ストリームを受信し、他のクライアント装置から該他のクライアントの代用画像を表示するための代用画像メタ情報を含むクライアント送信ストリームを受信する受信ステップと、
制御部が、上記ビデオストリームをデコードして背景画像の画像データを得るデコード処理と、上記代用画像メタ情報に基づいて代用画像の画像データを生成する代用画像データ生成処理と、上記背景画像の画像データに上記代用画像の画像データを合成する画像データ合成処理を制御する制御ステップを有する
クライアント装置の処理方法。
【請求項１０】
被写体を撮像して背景画像の画像データを得る撮像部と、
上記背景画像の画像データをエンコードして得られたビデオストリームを含むサーバ配信ストリームをクライアント装置に送信する送信部を備え、
上記ビデオストリームのレイヤおよび/またはサーバ配信ストリームのレイヤに上記背景画像における代用画像の許容合成範囲を示す情報が挿入されている
サーバ。
【請求項１１】
上記背景画像の画像データは、広視野角画像の画像データである
請求項１０に記載のサーバ。
【請求項１２】
撮像部が、被写体を撮像して背景画像の画像データを得る撮像ステップと、
送信部が、上記背景画像の画像データをエンコードして得られたビデオストリームを含むサーバ配信ストリームをクライアント装置に送信する送信ステップを有し、
上記ビデオストリームのレイヤおよび/またはサーバ配信ストリームのレイヤに上記背景画像における代用画像の許容合成範囲を示す情報が挿入されている
サーバの処理方法。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
ＨＤＲ画像を符号化する画像符号化装置であって、
前記ＨＤＲ画像からＬＤＲ画像に変換する画像変換手段と、
前記ＨＤＲ画像と前記ＬＤＲ画像の輝度比をデータレベルＡで算出する輝度比算出手段と、
前記輝度比の最小値と最大値の間で、前記輝度比をデータレベルＢ（Ａ＞Ｂ）に量子化する輝度比量子化手段と、
前記データレベルＢに量子化した輝度比を符号化する符号化手段と、
前記ＨＤＲ画像において、付加情報を生成する領域を特定する領域特定手段と、
前記付加情報を生成する領域において、前記データレベルＢに量子化した輝度比をデータレベルＣ（Ａ＞Ｃ＞Ｂ）に補正する輝度比補正情報を算出する補正情報算出手段と、
前記付加情報を生成する領域の位置情報と前記輝度比補正情報を前記付加情報として生成する付加情報生成手段と、
前記符号化された輝度比と前記付加情報を所定の記憶領域に格納することで、ＨＤＲ符号化ファイルを生成するＨＤＲ符号化ファイル生成手段と、
を備えることを特徴とする画像符号化装置。
【請求項２】
前記ＨＤＲ画像と前記ＬＤＲ画像の色差をデータレベルＬで算出する色差算出手段と、
前記色差の最小値と最大値の間で、前記色差をデータレベルＭ（Ｌ＞Ｍ）に量子化する色差量子化手段と、
を備え、
前記符号化手段は、前記データレベルＭに量子化した色差を符号化し、
前記補正情報算出手段は、前記付加情報を生成する領域において、前記データレベルＭに量子化した色差をデータレベルＮ（Ｌ＞Ｎ＞Ｍ）に補正する色差補正情報を算出し
前記付加情報生成手段は、前記色差補正情報を、前記付加情報を生成する領域の位置情報と前記輝度比補正情報と併せて前記付加情報として生成し、
前記ＨＤＲ符号化ファイル生成手段は、前記符号化された色差を、前記符号化された輝度比と前記付加情報と併せて、所定の記憶領域に格納することで、ＨＤＲ符号化ファイルを生成することを特徴とする請求項１に記載の画像符号化装置。
【請求項３】
前記符号化手段は、前記ＬＤＲ画像を符号化し、
前記所定の領域が、前記符号化されたＬＤＲ画像を格納する記憶領域とは異なる記憶領域であることを特徴とする請求項２に記載の画像符号化装置。
【請求項４】
前記符号化手段は、前記輝度比を、前記ＬＤＲ画像を符号化する方式と同様の方式で符号化することを特徴とする請求項３に記載の画像符号化装置。
【請求項５】
前記符号化手段は、前記色差を、前記ＬＤＲ画像を符号化する方式と同様の方式で符号化することを特徴とする請求項４に記載の画像符号化装置。
【請求項６】
前記領域特定手段は、ユーザにより指定された領域に従って、前記付加情報を生成する領域を特定することを特徴とする請求項１から５のいずれか１項に記載の画像符号化装置。
【請求項７】
前記領域特定手段は、所定の輝度値未満の連続した領域であって、かつ前記連続した領域が所定の画素数以上である場合に、前記付加情報を生成する領域として特定することを特徴とする請求項１から５のいずれか１項に記載の画像符号化装置。
【請求項８】
前記ＨＤＲ画像において、顔領域を検出する顔領域検出手段を備え、
前記領域特定手段は、前記検出された顔領域に従って、前記付加情報を生成する領域を特定することを特徴とする請求項１から５のいずれか１項に記載の画像符号化装置。
【請求項９】
前記領域特定手段は、前記ＨＤＲ画像が撮像装置により撮像された場合に、前記撮像装置のオートフォーカス位置に従って、前記付加情報を生成する領域を特定することを特徴とする請求項１から５のいずれか１項に記載の画像符号化装置。
【請求項１０】
前記輝度比の最小値と最大値の差を、所定の閾値と比較する輝度差比較手段を備え、
前記領域特定手段は、前記輝度差比較手段により、前記輝度比の最小値と最大値の差が前記閾値よりも大きいと判定された場合に、前記付加情報を生成する領域を特定することを特徴とする請求項１から９のいずれか１項に記載の画像符号化装置。
【請求項１１】
ＨＤＲ画像を符号化する画像符号化方法であって、
画像変換手段により、前記ＨＤＲ画像からＬＤＲ画像に変換する画像変換ステップと、
輝度比算出手段により、前記ＨＤＲ画像と前記ＬＤＲ画像の輝度比をデータレベルＡで算出する輝度比算出ステップと、
輝度比量子化手段により、前記輝度比の最小値と最大値の間で、前記輝度比をデータレベルＢ（Ａ＞Ｂ）に量子化する輝度比量子化ステップと、
符号化手段により、前記データレベルＢに量子化した輝度比を符号化する符号化ステップと、
領域特定手段により、前記ＨＤＲ画像において、付加情報を生成する領域を特定する領域特定ステップと、
補正情報算出手段により、前記付加情報を生成する領域において、前記データレベルＢに量子化した輝度比をデータレベルＣ（Ａ＞Ｃ＞Ｂ）に補正する輝度比補正情報を算出する補正情報算出ステップと、
付加情報生成手段により、前記付加情報を生成する領域の位置情報と前記輝度比補正情報を前記付加情報として生成する付加情報生成ステップと、
ＨＤＲ符号化ファイル生成手段により、前記符号化された輝度比と前記付加情報を所定の記憶領域に格納することで、ＨＤＲ符号化ファイルを生成するＨＤＲ符号化ファイル生成ステップと、
を含むことを特徴とする画像符号化装置における画像符号化方法。
【請求項１２】
コンピュータを、請求項１から１０いずれか１項に記載の画像符号化装置の各手段として機能させるためのプログラム。
【請求項１３】
ＨＤＲ符号化ファイルを復号する画像復号装置であって、
前記ＨＤＲ符号化ファイルより、符号化されたＬＤＲ画像、輝度比及び付加情報を分離して抽出する抽出手段であって、前記付加情報は前記付加情報を生成する領域の位置情報と輝度比補正情報を含む、抽出手段と、
前記符号化されたＬＤＲ画像、輝度比及び付加情報を各々、復号する復号手段と、
前記復号されたＬＤＲ画像からＨＤＲ画像に変換する画像変換手段と、
前記復号された輝度比補正情報を用いて、前記復号されたデータレベルＢの輝度比をデータレベルＣ（Ｃ＞Ｂ）に補正する輝度比補正手段と、
前記輝度比補正手段により補正された輝度比を用いて、前記画像変換手段により変換されたＨＤＲ画像の輝度を補正する輝度補正手段と
を備えることを特徴とする画像復号装置。
【手続補正２】
【補正対象書類名】明細書
【補正対象項目名】００５１
【補正方法】変更
【補正の内容】
【００５１】
また、画像符号化装置は、付加情報フラグ（Ｆｌａｇ）が０であれば、付加情報の出力は不要であることから、処理をステップＳ４１４に移行させる。ステップＳ４１４において、画像符号化装置は、ステップＳ４０４で生成したＬＤＲ画像のＪＰＥＧデータを、ＩＳＯ／ＩＥＣ  １８４７７−１に規定されている方法で、ＨＤＲ符号化ファイルとして出力する。
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
映像を特定する映像信号、前記映像に関連する音声を特定する音声信号、および、前記映像内の登場人物の心拍を特定する心拍信号を含む動画データを送信する手順と、
前記映像信号で再生される前記映像に同期して前記心拍信号に基づき心音を再生し、前記音声に前記心音を重ねて出力する手順と
を備えることを特徴とする動画の配信方法。
【請求項２】
心拍の速度を特定する心拍信号を受信する受信部と、
心拍の速度に応じて１鼓動の心音の音波を特定する心音データを記憶する記憶部と、
前記心拍信号で特定される速度に合わせて、前記心音データに基づき心音を再生する再生部と
を備えることを特徴とする心音再生装置。
【請求項３】
心拍の速度を特定する心拍信号を受信する手順と、
記憶部から、心拍の速度に応じて１鼓動の心音の音波を特定する心音データを取得する手順と、
前記心拍信号で特定される速度に合わせて、前記心音データに基づき心音を再生する手順と
を備えることを特徴とする心音再生方法。
【請求項４】
投影される像を特定する映像信号を生成する撮像素子と、
前記撮像素子に投影される像に関連して拾う音声を特定する音声信号を生成するマイクロフォンと、
少なくとも心拍の速度を特定する心拍信号を生成する脈拍センサーと、
前記音声に重ねられる音としての前記心拍信号を含む前記音声信号を出力する合成器と
を備えることを特徴とする撮影装置。
【請求項５】
人物ごとに心拍の速度に応じて１鼓動の心音の音波を特定する心音データを保存する手順と、
前記人物にそれぞれ装着される脈拍センサーから、前記脈拍センサーごとに心拍信号を取得する手順と、
指定された再生端末ごとに、個々の前記再生端末に関連づけられた前記心拍信号を送信する手順と、
個々の前記再生端末で前記心拍信号を受信し、前記心拍信号に紐付けられる前記人物との関連づけで選択された心音データに基づき、前記心拍信号で特定される速度に合わせて心音を再生する手順と
を備えることを特徴とする心拍再生方法。
【請求項６】
再生端末の本体にヘッドホンが接続される際に、前記ヘッドホンの機器識別子を取得する手順と、
スマートフォン上で実行されるモバイルアプリケーションプログラムに固有に予め登録された候補機器識別子に、取得した前記機器識別子を照合し、前記ヘッドホンの登録の有無を確認する手順と、
心拍の速度に応じて１鼓動の心音の音波を特定する心音データを取得する手順と、
前記心拍信号で特定される速度に合わせて、前記心音データに基づき心音を再生する手順と、
前記ヘッドホンの登録が確認されたら、前記ヘッドホンに向けて心音の音声信号を出力する手順と
を備えることを特徴とする心音の再生方法。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
入力データから得られるFEC(Forward Error Correction)フレームに基づいて、物理層フレームを生成する生成部と、
前記物理層フレームを、周波数分割多重化方式の放送信号として送信する送信部と
を備え、
前記物理層フレームの先頭の領域に、その先頭の位置の時刻を示す時刻情報を含める
送信装置。
【請求項２】
前記FECフレームは、TLV(Type Length Value)パケットを含むFECブロックから構成され、
前記時刻情報は、前記物理層フレームを構成するFECフレームのうち、先頭のFECフレームを構成するFECブロックに付加される第１のヘッダに応じて、前記先頭のFECフレームにおける先頭の領域に含まれる
請求項１に記載の送信装置。
【請求項３】
前記時刻情報は、前記第１のヘッダに含まれる
請求項２に記載の送信装置。
【請求項４】
前記時刻情報は、前記第１のヘッダに含まれる当該時刻情報の存在の有無を示すフラグに応じて、前記先頭のFECフレームを構成するFECブロックにおける先頭のTLVパケットに含まれる
請求項２に記載の送信装置。
【請求項５】
前記時刻情報は、NTP(Network Time Protocol)で規定される時刻の情報である
請求項１に記載の送信装置。
【請求項６】
前記物理層フレームは、変調方式として直交周波数分割多重方式を用いたOFDM(Orthogonal Frequency Division Multiplexing)フレームである
請求項１に記載の送信装置。
【請求項７】
送信装置の送信方法において、
前記送信装置が、
入力データから得られるFECフレームに基づいて、物理層フレームを生成し、
前記物理層フレームを、周波数分割多重化方式の放送信号として送信する
ステップを含み、
前記物理層フレームの先頭の領域に、その先頭の位置の時刻を示す時刻情報を含める
送信方法。
【手続補正２】
【補正対象書類名】明細書
【補正対象項目名】０００７
【補正方法】変更
【補正の内容】
【０００７】
本技術の一側面の送信装置は、入力データから得られるFEC(Forward Error Correction)フレームに基づいて、物理層フレームを生成する生成部と、前記物理層フレームを、周波数分割多重化方式の放送信号として送信する送信部とを備え、前記物理層フレームの先頭の領域に、その先頭の位置の時刻を示す時刻情報を含める送信装置である。
【手続補正３】
【補正対象書類名】明細書
【補正対象項目名】０００９
【補正方法】変更
【補正の内容】
【０００９】
本技術の一側面の送信装置、及び送信方法においては、入力データから得られるFEC(Forward Error Correction)フレームに基づいて、物理層フレームが生成され、前記物理層フレームが周波数分割多重化方式の放送信号として送信される。また、前記物理層フレームの先頭の領域には、その先頭の位置の時刻を示す時刻情報が含められる。
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
被測定者の血圧を連続測定する血圧センサと、
前記血圧の連続測定の開始が指示され前記血圧の連続測定開始前に前記被測定者が前記血圧の連続測定中に使用する治療装置を装着しているかを確認し、また前記血圧の連続測定中に前記治療装置を装着しているかを確認する確認部と、
前記確認部によって前記血圧の連続測定開始前に前記治療装置の装着が確認された場合、前記血圧センサによる血圧の連続測定を実行する測定制御部と、
前記確認部によって前記血圧の連続測定開始前に前記治療装置の装着が確認できない場合、前記治療装置の装着を促す案内を表示する表示部と、
前記血圧の連続測定中に前記治療装置の装着が確認できない場合、本体を振動させる振動部と、
を有するウエアラブル装置。
【請求項２】
前記治療装置は、ＣＰＡＰ装置である、
請求項１に記載のウエアラブル装置。
【請求項３】
前記振動部は、前記確認部によって前記血圧の連続測定開始前に前記治療装置の装着が確認できない場合、前記本体を振動させる、請求項１又は２の何れか１項に記載のウエアラブル装置。
【請求項４】
前記確認部は、前記測定制御部が前記被測定者の血圧の連続測定中において所定の条件を満たした場合、前記被測定者が前記治療装置を装着しているかを確認する、
請求項１乃至３の何れか１項に記載のウエアラブル装置。
【請求項５】
前記血圧センサは、ＰＴＴ方式、トノメトリ方式、光学方式、電波方式、または、超音波方式の何れかの方式の血圧センサを含む、
請求項１乃至４の何れか１項に記載のウエアラブル装置。
【請求項６】
被測定者の血圧を連続測定する血圧センサを有するウエアラブル装置のプロセッサに、
前記血圧の連続測定の開始が指示され前記血圧の連続測定開始前に前記被測定者が前記血圧の連続測定中に使用する治療装置を装着しているかを確認し、また前記血圧の連続測定中に前記治療装置を装着しているかを確認する機能と、
前記血圧の連続測定開始前に前記治療装置の装着が確認された場合、前記血圧センサによる血圧の連続測定を実行する機能と、
前記血圧の連続測定開始前に前記治療装置の装着が確認できない場合、前記治療装置の装着を促す案内を表示部に表示させる機能と、
前記血圧の連続測定中に前記治療装置の装着が確認できない場合、本体を振動させる機能と、
を実行させるためのプログラム。
【請求項７】
前記血圧の連続測定中に前記治療装置の装着が確認できない場合に前記治療装置の装着を促すアラートを実行する表示制御部を有する、
請求項１乃至３の何れか１項に記載のウエアラブル装置。
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
図柄を配列するために区画された複数の領域を有し、遊技を開始するために必要な規定数の遊技価値の投入により回転操作が有効となる複数のリールと、
所定の停止操作に基づいて、前記リールを停止させるためのストップボタンと、
前記ストップボタンに対する停止操作時の前記リールの回転位置を前記領域単位で検出可能なリール回転位置検出手段と、
前記回転操作により、前記リールを回転制御し、前記停止操作により、回転中の前記リールを停止制御するリール制御手段と、
前記停止操作の順序に応じて前記リールの図柄の停止態様が異なる打順役を含む役の当否を決定する内部抽選手段と、
前記リールが停止した際の前記図柄の表示態様に基づいて、当選した役の入賞の有無を判定する入賞判定手段とを備える遊技機であって、
前記役は、前記規定数よりも配当が多い複数の高配当役と、前記規定数よりも配当が少ない複数の低配当役とを含み、
前記リール制御手段は、前記打順役の当選時に、
第１の順序で前記停止操作がされる場合には、前記高配当役を入賞可能とし、
第２の順序で前記停止操作がされ、かつ所定のリールの停止操作時の前記リールの回転位置が第１領域である場合には、前記高配当役を入賞可能とし、前記リールの回転位置が第２領域である場合には、前記低配当役を入賞可能とするように停止制御することを特徴とする遊技機。